Podtech/llm-jp-corpus-v4-ja_patent huggingface dataset:
(57)【要約】【課題】本発明は、絶縁を確保しながらトラッキング現象を防止することのできる回路遮断器１を提供することを目的としている。【解決手段】本発明に係る回路遮断器１は、回路遮断器１の端子３へ導体を差し込む端子口５の間に比較トラッキング指数が、回路遮断器１を構成するケース８に比べて高い材料で絶縁リブ７を形成し、回路遮断器１の端子部でトラッキング現象の発生の防止を図り、安全な回路遮断器１を提供することを特徴とする。【選択図】図２
2010020953.tif 000002
【特許請求の範囲】
【請求項１】
ねじを用いず導体を差し込んで結線する速結端子を有する回路遮断器において、該回路遮断器の端子へ前記導体を接続するための端子口の間に比較トラッキング指数が、前記回路遮断器を構成するケースに比べて高い材料で絶縁リブを形成することを特徴とする回路遮断器。
【発明の詳細な説明】
【技術分野】
【０００１】
本発明は、ねじを用いず導体を差し込んで結線する速結端子を有する回路遮断器に関するものである。
【背景技術】
【０００２】
従来導体を端子にねじにより締め付けるねじ式端子を有する回路遮断器では、端子間に樹脂等で隔壁を設け、相間の絶縁を施していた。
【０００３】
速結端子を有する回路遮断器では、端子が差し込み式であるので、回路遮断器の側面に差し込み口が形成され、差し込み口に電線等の導体を差し込み、端子内に配置されたばね等により導体は固定されていた。差し込み口は相毎に並列されている。差し込み口へ抜き差しされる導体間の距離は狭く、差し込み口は同一平面状に設けられていた。
【特許文献１】特開２０００−２１５７８０号公報
【発明の開示】
【発明が解決しようとする課題】
【０００４】
差し込み口へ抜き差しされる導体間の距離は狭く、差し込み口は同一平面状に設けられているため、端子への差し込み口周辺に埃がたまりさらに湿気があると、トラッキングが発生し、火災を招く虞があった。
【課題を解決するための手段】
【０００５】
そこで本発明は、絶縁を確保しながらトラッキング現象を防止することのできる回路遮断器を提供することを目的とし、その構造は、回路遮断器の端子へ導体を接続するための端子口の間に比較トラッキング指数が、回路遮断器を構成するケースに比べて高い材料で絶縁リブを形成することを特徴とする。
【発明の効果】
【０００６】
本発明に係る回路遮断器は、回路遮断器の端子へ導体を接続するための端子口の間に比較トラッキング指数が、回路遮断器を構成するケースに比べて高い材料で絶縁リブを形成するため、トラッキングを防止することができ、万が一トラッキングが発生しても、絶縁リブが炭化しにくいため、火災に発展することがなく安全である。
【発明を実施するための最良の形態】
【０００７】
本発明に係る回路遮断器の実施例を図１〜図３の添付図面に基いて説明する。
【０００８】
回路遮断器１は負荷側端子部２が速結端子となっている。速結端子は、ケース内部に設けられた端子３付近に板ばね４を組み込み、負荷機器へと接続される導体を端子口５に差し込むことで、板ばね４により挟持させ、導体が端子３と接続するという構造である。端子口５は端子別に形成される。
【０００９】
端子口５は回路遮断器１の短手側面６に並列して設けられるため、端子３間の距離が大変短い。接続作業中などに導体同士が接近しすぎて短絡することを防ぐため、端子口５間に絶縁材料により形成された絶縁リブ７を設けている。
【００１０】
本発明では、この絶縁リブ７を比較トラッキング指数（ＣＴＩ）の高い材料によって形成する。
【００１１】
トラッキング現象について、回路遮断器１の端子口５を例にとって説明する。トラッキング現象は、端子口５付近の塵埃や異物がたまったところで、放電が起こった際に、ケース８や絶縁リブ７が炭化し、端子３ではなくケース８表面で導電性の経路ができてしまうことである。最悪の場合、火災にまで発展してしまう虞がある。
【００１２】
そこで本発明では、トラッキング現象の発生を防止するために端子３間に設けた絶縁リブ７を比較トラッキング指数の高い材料で構成する。比較トラッキング指数とは、トラッキング現象の発生しにくさを示す値で、数値が高いほどトラッキング現象を起こしにくい材料であることを示す。
【００１３】
また、他の絶縁材料に比べて、高額であるため、本発明では、トラッキング現象の起こりやすい部分であり、使用材料の量も少なくてすむ絶縁リブ７を比較トラッキング指数の高い材料を使用することを提案する。
【図面の簡単な説明】
【００１４】
【図１】回路遮断器の構造を示す説明図である。
【図２】本発明に係る回路遮断器を示す説明図である。
【図３】図２における側面図と負荷側端子部正面図である。
【符号の説明】
【００１５】
１    回路遮断器
２    負荷側端子部
３    端子
４    板ばね
５    端子口
６    短手側面
７    絶縁リブ
８    ケース
【図１】
2010020953.tif 000003
【図２】
2010020953.tif 000004
【図３】
2010020953.tif 000005
(57)【要約】      （修正有）【解決手段】Ａｕｔｏｒｕｎ．ｉｎｆを不揮発性メモリーモジュール内に適切に配置し、ＳＣＳＩコマンドをエミュレートするインタフェースを採用することにより、ＣＤ−ＲＯＭとして余計なドライブの認識を必要とせず、予め設定していたプログラムを自動起動することで、従来起こりやすかった混乱を避けることが可能となった。【効果】これらの手法を使った不揮発性メモリーモジュールを使うことで、コンピュータに接続するだけで、予め自動起動プログラムに内蔵した指定のウェブサイトへ自動的に辿り着くことができ、コンピュータ初心者等の場合は、簡単にインターネットや希望するサイトにたどり着くことができ、企業やインターネットショップは自身のウェブサイトに訪問させやすくすることができる。【選択図】図１
2010020735.tif 000002
【特許請求の範囲】
【請求項１】
ＣＤが入った際に、その中に書かれている、Ａｕｔｏｒｕｎ．ｉｎｆの内容が実行できるように構成されたコンピュータ（Ｗｉｎｄｏｗｓ  ＯＳなどの搭載機）において、フラッシュメモリーを内蔵したカード（ＳＤ、メモリースティック，ＵＳＢメモリー）などの不揮発性メモリーを内蔵したカードモジュールが接続される際、（インタフェースはＵＳＢ、ｅＳＡＴＡなど）不揮発性メモリー内に組み込まれた、Ａｕｔｏｒｕｎ．ｉｎｆをコンピュータに読み取らせることができ、任意のプログラムを自動実行できる不揮発性メモリーモジュール。
【請求項２】
前記メモリーモジュールには、コンピュータ側から単一のデバイスとして認識され、コンピュータ上には一つのドライブのみが表示される、請求項１の不揮発性メモリーモジュール。
【発明の詳細な説明】
【技術分野】
【０００１】この発明は、不揮発性メモリーモジュール及びプログラムの起動方法に関する。
【背景技術】
【０００２】近年、技術の発展、音楽や画像などのインターネット配信の普及などに伴い、ＭＭＣカード、ＳＤカード、フラッシュメモリーなど、様々な記録媒体としてメモリーカードが注目されている。【０００３】メモリーカードには様々な容量や様々な種類などがあるが、大体１ｃｍ角から５ｃｍ程度の小型のメディアで、これを読み取ったり、これに書き込んだりする機器に接続したり、またはフラッシュメモリー等の不揮発性メモリーをモジュールに組み込んで、それをコンピュータに接続すると、読み書きなどのアクセスが可能となるものである。【０００４】これまでの技術では、これからコンピュータを始めようとする人など、初心者にとっては、インターネットにどうやって接続すればよいのか、どうやったら希望するウェブサイトに辿り着けるのか、その手順が煩雑でもあった。【０００５】また企業やインターネットショップなどにとっては、どうやって自分たちのウェブサイトに辿り着いてもらうか、見てもらうかが売上に直結する重大な問題でもあった。【０００６】また動画、音楽等の配信サイトではその認知度、アクセス件数により、売上に大きな影響がでることがあった。【０００７】またイベント（会議、コンサート、ショウ、結婚式、行事、学会、同窓会、発表会、スポーツ等、以下総称して「イベント」とよぶ）などで記録した音源、画像を配信する場合には、その配信するアドレスに自ら辿り着かなければならなかった。【０００８】ウェブサイトの検索は、通常、まずインターネットエクスプローラなどでインターネット画面を表示し、検索サイト等で検索する、又は既に知っているウェブアドレスを入力するなどして希望するウェブサイトに辿り着いていた。
【背景技術】
【０００９】ＵＳＢメモリーとして、Ｕ３プラットフォーム又は特許番号第３７６７８１８号のように、コンピュータに接続すると、見かけ上２つのドライブが接続されたとコンピュータに認識させ、その一方をＣＤ−ＲＯＭと認識させて、その中から自動起動プログラムを立ち上げていた。
【発明の開示】
【発明が解決しようとする課題】
【００１０】上記手法は、コンピュータ上でＣＤ−ＲＯＭと本来のドライブと、二つの外部デバイスとして認識されることで、画面上にも二つのアイコンが表示される。これは初心者などにとっては、混乱を招く原因となり、実際のＣＤ−ＲＯＭと間違えてＣＤ−ＲＯＭが作動しない、などと困惑しやすく、使いにくい部分があった。【００１１】また自動起動される従来の技術の製品は、通常のコンピュータで複製が可能であり、紛失、盗難等された場合、セキュリティ面で問題があった。
【課題を解決するための手段と効果】
【００１２】Ａｕｔｏｒｕｎ．ｉｎｆを不揮発性メモリーモジュール内に適切に配置し、ＳＣＳＩコマンドをエミュレートするインタフェースを採用することにより、わざわざＣＤ−ＲＯＭとして認識させて、その中に配置した自動起動プログラムを作動させる必要性をなくすことを可能にした。
【００１３】上記手法により、不揮発性メモリー内にセキュリティを向上させるための暗号化チップを組み込みやすくなり、低コストで複製を防止できる不揮発性メモリーモジュールが実現できる。暗号化チップには、例えば“ルネサス製：ＡＥ４３シリーズ”“ルネサス製：Ｎ−Ｃｈｉｐ”などが挙げられる。
【発明を実施するための最良の形態】
【００１４】以下に、本発明の実施形態について、図面を使って説明する。
【図面の簡単な説明】
【００１５】
【図１】この発明の実施形態を示す図である。不揮発性メモリーモジュール内には、コンピュータとのインタフェースとして、ＵＳＢ又はカードバス、ｅＳＡＴＡなどの方式に合わせたインタフェースが存在し、それはＳＣＳＩエミュレーションインタフェースより標準ＳＣＳＩコマンドに変換される。その後、セキュリティチップを通し、暗号化され、モジュール内のコントローラを介し、メモリー本体との入出力を行う。
【００１６】またメモリー本体の一部には、Ａｕｔｏｒｕｎ．ｉｎｆと自動起動プログラムファイルを予め搭載しておく。【００１７】以上の構成で、前記不揮発性メモリーモジュールをコンピュータに接続した際に、一つのドライブとして認識され、更に内蔵した自動起動プログラムが実行される。
【符号の説明】
【００１８】１…コンピュータ
２…不揮発性メモリーモジュール
３…インタフェース（ＵＳＢ、カードバス、ｅＳＡＴＡ等）
４…ＳＣＳＩエミュレーションインタフェース及び接続先インタフェース
５…セキュリティチップ
６…Ａｕｔｏｒｕｎ．ｉｎｆ及び自動起動プログラム
７…不揮発性メモリー
【図１】
2010020735.tif 000003
(57)【要約】【課題】  従来高度集積回路を描画するため、主として一平面上に、露光光源の短波長化と、結像レンズの高ＮＡ値化にて目的を達成してきた。しかし、そのためには、設備の高額化と光結像技術に解決しなければならない問題があった。【解決手段】  従来技術である液浸露光法において、ホトレジスト層の表面に、液浸露光用液体よりも光屈折率の小さい層を設置することにより、ウエハの反りによる露光光の焦点はずれを小さくし、ウエハの両面を利用した多層化にて高度集積回路を作製する。【選択図】図２
2010226068.tif 000002
【特許請求の範囲】
【請求項１】
露光面と露光光学装置の結像レンズの間に、露光面、光屈折率の小さい層、光屈折率の大きい層、露光光学装置の結像レンズの順に設置し、露光することを特徴とする露光方法
【請求項２】
ウエハの表面に塗布したホトレジスト上に、膜状フイルムを貼り付け、膜状フイルムより光屈折率の大きい液体で液浸露光する特許請求項１の露光方法。
【請求項３】
光屈折率の小さい層として、プラスチック薄膜に保水性物質を張り付けた膜状フイルムを使用したことを特徴とする請求項２の露光方法。
【請求項４】
光屈折率の小さい層として、多数の中空構造を有し、その中に気体又は液体を満たした膜状フイルムを使用したことを特徴とする請求項２の露光方法。
【発明の詳細な説明】
【技術分野】
【０００１】  本発明は、集積回路作製液浸露光時の焦点深度に関する。
【背景技術】
【０００２】  従来の集積回路作製露光時、焦点深度を深くするために、変形照明又光学系内に絞りを設置する方法があった。
【先行技術文献】
【特許文献】
【０００３】
【特許文献１】特開２００８−３０６０７３
【非特許文献】
【０００４】
【非特許文献１】やさしいＵＬＳＩ技術、岩松誠一著
【発明の概要】
【発明が解決しようとする課題】
【０００５】  従来の集積回路にて集積度を上げるためには、ウエハ上に線幅を細く描画しなくてはならないので、高度クリーン室が必要等で製造装置が高価となり、又極短波長の光を結像するためには、技術的困難が存在していた。
電子線、イオン線を用いれば細い回路も描画可能であるが、生産性が低い問題があった。【０００６】  集積度の向上のためには多層化が一法であるが、ウエハの両面を使用又一面上に多層化すると、ウエハの反により露光面の平面性が保ちにくいという問題があった。【０００７】  本発明は、集積回路の多層化特にウエハの両面を利用して集積度を高めようとする場合に、必要な重要一手段である露光方法を提供しようとするものである。
【課題を解決するための手段】
【０００８】  そして、本発明は上記目的を達成するために、ホトレジストの露光面上に、厚さ一定の光屈折率の小さい透明フイルムを貼り付け、そのフイルムより光屈折率の大きい液体で、液浸露光している。
【発明の効果】
【０００９】  本発明の集積回路の露光方法は、上記の様な形態をとっているので、図１に示す様、結像光１が液浸用液体２を透過し、高低差のある高い位置のウエハ表面に貼られた光屈折率の小さい透明膜３で光４と屈折し、焦点５に結像する。そして、より低い位置のウエハ表面に貼られた光屈折率の小さい透明膜６で結像光１は、光７と屈折し、焦点８に結像する。もっとも低い位置のウエハ表面に貼られた光屈折率の小さい透明膜９で、結像光１は光１０と屈折し、焦点１１に結像する。
秀明膜３、６、９の膜の厚さは一定であり、焦点５、８間の距離、焦点５、１１間の距離は、それぞれ透明膜３、６間の距離、透明膜３、９間の距離より小さいが、焦点５、１１間の距離は焦点５、８間の距離より大きい。そして、焦点５、８、１１の順で低い位置に焦点を結んでいる。従って、本発明露光方法では、ウエハ表面の高低差が大きい所ほど、焦点位置の補正効果が大となっている。
【図面の簡単な説明】
【００１０】
【図１】本発明のウエハ表面の高低差に対応した結像光の焦点位置の補正効果を示す説明図
【図２】本発明実施例の全体像
【図３】光屈折率の小さい膜の一実施例
【図４】光屈折率の小さい膜の一実施例
【発明を実施するための形態】
【００１１】  以下、本発明の実施例を図２〜図４に基づいて説明する。
【実施例】
【００１２】  図２の実施例で、ウエハ１２の表面にあるホトレジスト層１３上に、光屈折率の小さい水溶性透明膜１４を貼り、露光用結像レンズ１５と光屈折率の小さい水溶性透明膜１４の間に、前記水溶性透明膜１４より光屈折率の大きい油性液体１６を満たして、液浸露光する。【００１３】  図３の実施例では、ウエハ１２の表面にあるホトレジスト１３上に貼りつけた光屈折率の小さい透明膜として、プラスチック薄膜１７に、寒天とでんぷんを混合し、水分を多く含ませた膜、又はハイドロジエルの水分を多く含んだ膜１８を貼り合わせた膜を使用し、これらの膜よりより光屈折率の大きい液体１６で液浸露光する。【００１４】  図４の実施例では、ウエハ１２の表面のホトレジスト１３上に多数の空洞２０を有し、内部に気体又は水を含んだ膜１９を貼り付け、より光屈折率の大きい液体１６にて液浸露光する。
【産業上の利用可能性】
【００１５】  本発明は、集積回路の多層化特にウエハの両面に集積回路を作る時の露光方法に使用できる。
【符号の説明】
【００１６】１２  ウエハ
１３  ホトレジスト
１４  光屈折率の小さい水溶性透明膜
１５  露光用結像レンズ
１６  光屈折率の大きい油性液体
１７  プラスチック薄膜
１８  寒天とでんぷんを混合し、水分を多く含ませた膜、又はハイドロジエルの水分を多く含んだ膜
１９  多数の空洞を有し、内部に気体又は水を含んだ膜
２０  空洞
【図１】
2010226068.tif 000003
【図２】
2010226068.tif 000004
【図３】
2010226068.tif 000005
【図４】
2010226068.tif 000006
(57)【要約】【課題】少ない力で効率よく電力変換や発電ができる発電装置の提供を目的とする。【解決手段】発電機に設けた発電用回転子に対して、当該発電用回転子の外径よりも外径が２倍以上大きい駆動用回転子を軸連結したことを特徴とする。【選択図】  図１
2010226813.tif 000002
【特許請求の範囲】
【請求項１】
発電機に設けた発電用回転子に対して、当該発電用回転子の外径よりも外径が２倍以上大きい駆動用回転子を軸連結したことを特徴とする発電装置。
【請求項２】
電動機の駆動用回転子に設けた極数を前記発電用回転子に有する極数よりも多くし、前記駆動用回転子に設けた極数に対応して入力電源の周波数を周波数変換機で変換することを特徴とする請求項１記載の発電装置。
【発明の詳細な説明】
【技術分野】
【０００１】
本発明は、てこの原理を応用した発電装置に関する。
【背景技術】
【０００２】
交流の周波数を変換したり、直流−交流の変換等の電力変換を行なう目的で電動機と発電機とを同軸で直結した電動発電機は公知である。
しかし、従来の電動発電機を利用した電力変換は効率が悪いため、現在はインバーター等による電力変換が普及している。
【先行技術文献】
【特許文献】
【０００３】
【特許文献１】特開２０００−６９７３０号公報
【発明の概要】
【発明が解決しようとする課題】
【０００４】
本発明は、全体として少ないエネルギーで効率よく電力変換や発電ができる発電装置の提供を目的とする。
【課題を解決するための手段】
【０００５】
本発明に係る発電装置は、発電機に設けた発電用回転子に対して、当該発電用回転子の外径よりも外径が２倍以上大きい駆動用回転子を軸連結したことを特徴とする。
ここで、電動機の駆動用回転子に設けた極数を前記発電用回転子に有する極数よりも多くし、前記駆動用回転子に設けた極数に対応して入力電源の周波数を周波数変換機で変換するが好ましい。
【発明の効果】
【０００６】
本発明は、発電機の回転子の外径よりも外径が大きい駆動回転子を軸連結したので、てこの原理により、小さい力にて効率よく発電機の回転子を回転でき、電力の変換効率が高く、従来の電動発電機に比較して大きな出力電力を得ることができる。
【図面の簡単な説明】
【０００７】
【図１】本発明に係る発電システムの構成例を示す。
【図２】駆動回転子と発電回転子との関係を示す。
【図３】駆動回転子の構造例を示す。
【図４】駆動回転子を複数設けた例を示す。
【発明を実施するための形態】
【０００８】
本発明に係る発電装置又は電力変換装置の構成を以下模式図にて説明する。
本発明に係る駆動回転子は、てこの原理を用い、小さい力で発電回転子を回す点に特徴がある。
以下、駆動回転子を電動機で回転する場合を例に用いて説明する。
発電装置は図１及び図２に示すように電動機等の駆動回転子１の軸１ｃと発電機２の回転子２ａに有する軸２ｃとをカップリング６等を用いて連結してある。
発電回転子２ａの外周側には、所定間隔を隔てて固定極２ｂを配設してある。
発電回転子２ａと固定極２ｂとは、磁石（磁力）と巻き線との組み合せによる所定の対となる極数となっている。
駆動回転子１には、所定の間隔を隔てて回転極１ａを有し、その外側には回転極数に対応して固定極１ｂを有する。
極の形成は磁石又は巻き線により形成される。
本発明にあっては、発電機側の回転子の極数よりも駆動回転子側の極数が多く、商用電源（５０Ｈｚ，６０Ｈｚ）の周波数をインバーター３にて増加変換して電動機側に印可する。
これにより極数の多い駆動回転子であっても、商用電源を用いて滑らかに回転できる。
本発明にあっては、発電機側の回転子２ａの外径Ｄ１よりも駆動回転子１の外径Ｄ２の方が２倍以上大きく設定してある。
例えば、発電機側の回転子２ａの外径に対して駆動回転子の外径を３倍にし、発電回転子の極数６〜９に対して駆動回転子の極数を２７〜３６にするとよい。
理論的には、駆動回転子の径を無限に大きくできるが、現実的には発電回転子の約１０倍以下である。
駆動回転子１は軽い方が望ましく、図３に示すように薄い円板１ｄ、１ｄを二枚一組にして内部を空洞構造にしてもよい。
また、図４に示すように複数の駆動回転子１をカップリング６等にて直列に連結して用いてもよい。
このように複数連結すると駆動回転子の外径を小さく抑えつつ出力を大きくとることができる。
【０００９】
このように、発電機側の回転子の径より、電動機側の駆動回転子の径を大きくしてもこの駆動回転子の極数を径に応じて増すことで、インバーター変換した周波数の交流電源で電動機をなめらかに稼働できるため、全体として電力変換効率が高い。
【符号の説明】
【００１０】
１      駆動回転子
１ａ    回転極
１ｂ    固定極
２      発電機
２ａ    発電回転子
２ｂ    固定極
３      インバーター  
４      負荷
５      商用電源
【図１】
2010226813.tif 000003
【図２】
2010226813.tif 000004
【図３】
2010226813.tif 000005
【図４】
2010226813.tif 000006
(57)【要約】【課題】  書籍をデジタルカメラで撮影する書籍用スキャナーにおいて、簡単に平らな書籍撮像面が得られ、且つ、デジタルカメラの操作が支障なく行える。【解決手段】  書籍置台の下方に鏡を設置し、鏡に写し出された書籍の像を作業台の外に配置したデジタルカメラから撮影する。【選択図】図１
2010226686.tif 000002
【特許請求の範囲】
【請求項１】
書籍１を載せる上面が透明な板２からなる台と、透明な板２の下方で台の内部に書籍１の像を写し出す鏡３と、鏡３に写し出された像を、台の外に取り付けしたデジタルカメラにより撮影することを特徴とする書籍用スキャナー。
【請求項２】
鏡を偶数枚配置し書籍の像を、配置した各鏡に順次一筆書き的に写し出し偶数回反転させ、正像として撮影できるようにした請求項１の書籍用スキャナー。
【発明の詳細な説明】
【技術分野】
【０００１】  本発明は、文庫本等の書籍をデジタルカメラで撮像する書籍用スキャナーに関するものである。
【背景技術】
【０００２】  従来は、書籍のスキャンを行う場合、デジタル複写機や卓上スキャナーを使うことが一般的であった。この場合には、走査線が動作する間、書籍がずれることなく保持しておく必要があり、厚さのある書籍では作業が難しく、傾いたりぼけたりすることがあった。【０００３】  これを改善する目的で、デジタルカメラにより瞬時に撮影する方式が考案されている。この方式では、書籍撮像面となる見開き面を上向きにするが、撮像面が平らにならず、カメラの焦点を合わせることができなかった。これを改善するために撮像面を透明な板で押し付け平らな撮像面を得る装置が考案されている。
【特許文献１】特開２００５−３９８６６
【発明の概要】
【発明が解決しようとする課題】
【０００４】  前述のような特別な装置を使用せずに、書籍をデジタルカメラで撮影するためには、作業者が書籍の見開き面を下に向け、平らな台に載せ押し付けることで撮像面を平らにする。この状態で撮像面にデジタルカメラの焦点を合わせ撮影する。【０００５】  複数ページをスキャンするときには、ページをめくりながら一連の作業を繰り返すやり方が効率的である。【０００６】  デジタルカメラは、操作する際に液晶画面を見ながら行うことが一般的となっているが、操作画面は撮影レンズと反対側に配置されている。
したがって、書籍の見開き面を下方から撮影するときには、図４のように、デジタルカメラをレンズ面が上向きとなるように設置することから、操作画面が下向きとなり操作に必要な画面の確認ができなくなる問題がある。また、デジタルカメラは台の中にあるから、シャッターを押す操作が困難となる問題がある。【０００７】  本発明は、複雑な装置を使わずに、内部に鏡を配置した台とデジタルカメラとで作業効率の高い書籍用スキャナーを提供することにある。
【課題を解決するための手段】
【０００８】  書籍置台上面に透明な板を設置し、下方に鏡を設置することを特徴とし、書籍置台に載せた書籍見開き面の像を、書籍置台の外より鏡に向けて設置したデジタルカメラで撮影できるようにした。
【発明の効果】
【０００９】  本発明によれば、内部に鏡を配置した台とデジタルカメラのみで、複雑な作業を習得することなく効率的なスキャン作業が安価に提供できる。デジタルカメラを作業台の外に配置することで、内部に配置するときと比べ格段に操作し易くなる。また、鏡により像を折り返すことができるため、撮像面とデジタルカメラを直線上に配置する必要がなく台を低くコンパクトにすることができる。
【図面の簡単な説明】
【００１０】
【図１】本発明の書籍スキャナー側面図である。
【図２】書籍スキャナー正面図である。
【図３】鏡を２枚配置した書籍スキャナー側面図である。
【図４】デジタルカメラを台の下方に配置した書籍スキャナー側面図である。
【発明を実施するための形態】
【００１１】  図１のように台の上面に透明な板２があり、その下方に鏡３を設置する。透明な板２の上に書籍１を見開き面が下となるように置き押さえる。このとき書籍１の見開き面と透明な板２が密着した面が撮像面となる。撮像面が鏡３に映し出される像を台の外から撮影可能となる位置に市販デジタルカメラ４を、鏡３に向かって取り付けする。
【００１２】  鏡支持部材１３は、鏡３の姿勢を自在に変えられるように自在継手とすると、写し出された書籍１の像をデジタルカメラに向ける調整がし易くなる。
【００１３】  デジタルカメラ４には、オートフォーカスやズーム、および、ストロボの機能があるからシャッターを押すだけで、書籍１の見開き面を綺麗に撮影することができる。
【００１４】  スキャンしたいページが複数あるときは、ページをめくりながら作業を繰り返す。
【００１５】  撮影した画像は、パソコンに転送して使用する。図１のように鏡が１枚のスキャナーの場合には、撮影した像は反転しているため、ソフト処理により反転し正像とする必要があるが、パソコンのレタッチソフトでは一般的な機能となっており簡単に処理できる。
【００１６】  図３のように鏡を２枚設置することで、像を２回反転し正像として撮影することができる。
【００１７】  デジタルカメラの性能や書籍の質感によっては、照明器具１２があれば、より綺麗な撮影ができることがある。
【００１８】  撮影した画像は、デジタルソフトウェア技術を用いてスキャン画像を処理することで、たとえば、ＯＣＲソフトによりテキスト化することや、音声変換ソフトで読み上げるようなシステムを構築できる。
【００１９】  デジタルカメラの代わりにウェブカメラやＣＣＤカメラを使用することができる。
【００２０】  このスキャナー装置によれば、書籍に限らず、あらゆる書類においても、瞬時に綺麗な撮影ができる。
【符号の説明】
【００２１】    １  書籍
２  透明な板
３  鏡
４  デジタルカメラ
５  デジタルカメラのレンズ部
６  デジタルカメラの操作画面
１０  支柱
１１  デジタルカメラ固定ネジ
１２  照明器具
１３  鏡支持部材
【図１】
2010226686.tif 000003
【図２】
2010226686.tif 000004
【図３】
2010226686.tif 000005
【図４】
2010226686.tif 000006
(57)【要約】 【課題】    従来は、イカ釣りにいく時に、釣り上げたイカを刺し絞める器具と、イカ釣り用餌木の傘状針を補正する為の器具を携行するが、補正器具に於いては餌木の大きさに応じて傘状針のサイズも代わるため、餌木のサイズに合う物を複数備えなければならず、その都度該当する器具を選別して取り出し使用しなければならないという不便があり、特に夜間に於いての釣りではさらに取出しがし難いという問題があった。【解決手段】    本発明は従来別々の固体の器具であるイカを刺し絞める器具と、サイズの異なる使用頻度の高い２規格の餌木の傘状針用の挿入型補正器具とを組み合わせ、さらに傘状針を一本ずつ補正する機能を追加して一体化することで、複数の器具の携帯の不便さを解消しその結果軽量化もできた傘状針補正器具付イカ刺し絞め器具である。【選択図】  図１
2010226979.tif 000002
【特許請求の範囲】
【請求項１】
本発明は、イカ絞め器具を支える握り柄を、イカ釣りに使用する餌木の傘状針に対して使用する、サイズの異なるパイプ形状の傘状針補正器具を縦に二個繋ぎ合わせたものとし、その中央に位置する箇所に垂直にイカ絞め器具を接合し、さらに、先端がイカ絞め器具である棒状部の縦のほぼ中央になる位置に、棒状部に対して垂直になるように傘状針を一本毎に補正する器具を接合して、ひとつの器具にイカを刺し絞める機能と、規格の異なる二種類の餌木の傘状針の挿入型補正機能と、傘状針を一本毎に補正する機能とを組み込んだ多機能型器具である。
【発明の詳細な説明】
【技術分野】
【０００１】
本発明はイカ釣りに於いて、イカ絞め器具と傘状イカ釣針の補正器具を一体化した多機能イカ絞めに関するものである。
【背景技術】
【０００２】
従来、捕獲したイカの鮮度、肉質を保持する為にイカの急所を刺し絞める機能のみを有する器具があり、またイカ釣りに用いる餌木の特定の大きさ用の傘状針の広がりを修正する為の補正器具もあり、中には特許文献１のように傘状針を挿入するだけで修正することができる複数補正器具を、複数のサイズ組み合わせた器具もある。
【先行技術文献】
【特許文献】
【０００３】
【特許文献１】特願２００５−３８０８０６号公報
【発明の開示】
【発明が解決しようとする課題】
【０００４】
従来はイカを刺し絞める器具と、イカ釣りに用いる餌木の傘状針を補正する為の器具は別々の固体であり、またイカ釣りにいく場合、通常大きさの異なる数種類かの餌木を携行するが、大きさの違う餌木は傘状針のサイズも餌木本体の大きさに比例して代わるため、傘状針の挿入型修正タイプの補正器具も使用する餌木のサイズに合う物を複数備えなければならず、これらを使用する場合、その都度使用目的に合ったものを選別して取り出し使用しなければならないという不便があり、特に夜間に於いての釣りではさらに該当する器具の取出しがし難いという問題があった。
【０００５】
本発明は、従来別々の固体の器具であるイカを刺し絞める器具と、サイズの異なる使用頻度の高い２規格の餌木の傘状針用の挿入型補正器具とを組み込んで一体化することで、複数の器具の携帯の不便さを解消することを目的とするものである。
【課題を解決するための手段】
【０００６】
本発明は上記目的を達成するために、イカ絞め器具を支える握り柄を、イカ釣りに使用する頻度の高い餌木２規格に用いられる傘状針それぞれに対して使用する、サイズの異なるパイプ形状の傘状針補正器具を縦に二個繋ぎ合わせたものとし、その中央に位置する箇所に垂直にイカ絞め器具を接合し、握り柄とイカ絞め器具を組み合わせた形状がＴ字型となるようにした。さらに、先端がイカ絞め器具である棒状部の縦のほぼ中央になる位置に、棒状部に対して垂直になるように傘状針を一本毎に補正する器具を接合して、ひとつの器具にイカを刺し絞める機能と、規格の異なる二種類の餌木の傘状針の挿入型補正機能と、傘状針を一本毎に補正する機能とを組み込んだ、多機能型器具である。
【発明の効果】
【０００７】
本発明は上述したように、イカを刺し絞める器具と、サイズの異なるパイプ形状の傘状針補正器具の２規格と、傘状針を一本毎に補正する器具を合体したことで、これまで別個に携帯しなければならなかった４つの器具がひとつでの携帯で済み、重量的にもかなりの軽量化ができた傘状針補正器具付イカ刺し絞め器具となった。
【０００８】
また、機能毎に四つの器具を携行した場合、使用する場合要求される機能の器具を選別して取り出さねばならず、収納場所より取り出すのに不便を感じていたが、機能を合体させてひとつのボディとしたことで、使用目的毎に器具を探す手間がいらなくなった傘状針補正器具付イカ刺し絞め器具となった。
【発明を実施するための最良の形態】
【０００９】
以下、本発明の実施の形態を図１に基づいて説明する。
【００１０】
本発明は、イカ絞め器具を支える握り柄を、パイプ形状の傘状針補正器具の小さなサイズ用２と大きなサイズ用３とを縦に二個繋ぎ合わせたものとし、その中央に位置する箇所に垂直にイカ絞め器具１を接合し、握り柄とイカ絞め器具を組み合わせた形状がＴ字型となるようにした。さらに、先端がイカ絞め器具である棒状部の縦のほぼ中央になる位置に、棒状部に対して垂直になるように傘状針を一本毎に補正する器具４を接合して、ひとつのボディにイカを刺し絞める機能と、規格の異なる二種類の餌木の傘状針の挿入型補正機能と、傘状針を一本毎に補正する機能とを組み込んだ、多機能型イカ絞め器具である。
【図面の簡単な説明】
【００１１】
【図１】本発明の傘状針補正器具付イカ刺し絞め器具に於ける斜視図である。
【符号の説明】
【００１２】
１、イカ刺し絞め器具    ２、傘状針補正器具（小さなサイズ用）
３、傘状針補正器具（大さなサイズ用）  ４、傘状針を一本毎に補正する器具
【図１】
2010226979.tif 000003
(57)【要約】      （修正有）【課題】従来の水撒きでは、毎日、ホースや如露で撒くしかなかった。また、ため池を利用したものがあるが、場所や費用がかかる。【解決手段】定時的に水を出す適当な大きさの水容器２を設けて、毎日の水撒きを５日おきぐらいに低減し、農業や園芸の労力を軽くすることができる。【選択図】図１
2010226964.tif 000002
【特許請求の範囲】
【請求項１】
定期的に穴から水を撒く、水を入れた適度な大きさの水撒き機。
【発明の詳細な説明】
【技術分野】
【０００１】
本発明は、農業、園芸の水やりを自動で定期的にする水撒き機に関するものである。              
【背景技術】
【０００２】
従来の水撒きは、ホースや如露で、要る時都度、撒くしかなかった。ため池を利用
したものがある
【先行技術文献】
【特許文献】
【０００３】
【特許文献１】特開平１１−２０６２５２    公報
【発明の概要】
【発明が解決しようとする課題】
【０００４】
以上に述べた従来の水撒きでは、毎日しなければならず、労力がかかるものであった。
また、ため池は作る場所が必要でどこでもはできない。
【０００５】
本発明は、このような従来のやり方が有していた問題を解決しようとするものであり、
下部中心の端の蓋開閉穴から定期的に水が出て、５日分ぐらい貯水できる水撒き機を実現することを目的とする。
【課題を解決するための手段】
【０００６】
そして、本発明は上記目的を達するために適宜な大きさ、形の貯水機器とその下部端中央に水撒き蓋開閉穴を設けたものである。
【０００７】
上記課題解決手段による作用は次の通りである。すなわち、毎日しなくてはいけない水撒きを、５日に１回ぐらいにでき、撒く手間も取り除くことができる。また、ため池が無いところでもどこでも置けて水を撒ける。
【発明の効果】
【０００８】
上述したように本発明の水撒き機は、毎日の水撒きを５日に１回ぐらいに労力を軽減できる。また、ため池ができないところでも設置できる。
【図面の簡単な説明】
【０００９】
【図１】畑に適した水撒き機の概観図
【図２】鉢植えに適した水撒き機の概観図と横からの断面図
【発明を実施するための形態】
【００１０】
以下、本発明の実施の形態を図１、図２を使って説明する。
【００１１】
図においては、１は蓋が開いて水が出る水撒き穴で、２は本体ケースで水が入る。
３は電池入れ、４は時計と設定ボタンで防水してある。設定ボタンで１日１回とか
設定できる。５は水入れ口で蓋でしめる。６は鉢用で適宜土に刺して安定させる。
【００１２】
以下、上記構成の動作を説明する。水入れ口５から水を満タンに入れ、時計設定４
で１日１回等開くよう設定して蓋開閉穴１が定刻に開き水が出て撒かれる。水がなく
なるまで５日ぐらい使用できる。よって人為による水撒きを４日ぐらい休むことがで
きる。また、ため池が無いところでも設置でき、どんな畑にも通用し、鉢にも置ける。
【符号の説明】
【００１３】
１  開閉式水出し穴
２  水撒き容器本体
３  電池
４  設定時計ボタン
５  開閉式水入れ口
６  鉢用支え刺し棒
【図１】
2010226964.tif 000003
【図２】
2010226964.tif 000004
(57)【要約】【課題】従来技術では、キャリア周波数を上げることにより騒音は低下するが、スイッチング回数が増加することでインバータ回路の損失が増大するという課題がある。本発明は、上記従来技術の課題を解決するもので、騒音低下と回路損失低減を時間により選択できるモータのインバータ制御装置および空気調和機を提供することを目的とする。【解決手段】設定された時間−キャリア周波数情報に基づいてキャリア周波数を選択するキャリア周波数選択手段を設けることで、騒音低下と回路損失低減を時間により選択できることを可能としたものである。【選択図】図１
2010226910.tif 000002
【特許請求の範囲】
【請求項１】
交流電力を直流電力へ変換する整流回路と、直流電力を交流電力へ変換してモータへ供給するインバータ回路と、時間によって任意のキャリア周波数指令を選択できるキャリア周波数選択手段と、指定されたキャリア周波数でインバータ回路を制御するＰＷＭ制御手段とを備え、キャリア周波数選択手段が時間に基づいてキャリア周波数を選択することを特徴とするインバータ制御装置。
【請求項２】
請求項１記載のインバータ制御装置を備えた空気調和機。
【発明の詳細な説明】
【技術分野】
【０００１】
本発明は、モータのインバータ制御装置および空気調和機に関する。
【背景技術】
【０００２】
従来、この種の電動機の制御装置としては、キャリア周波数を１０ｋＨｚ以上に上げる事によって騒音を減らすものがあった（例えば、特許文献１参照）。
【特許文献１】特開平３−１７８５９５号公報
【発明の開示】
【発明が解決しようとする課題】
【０００３】
しかしながら前記従来技術では、キャリア周波数を上げることにより騒音は低下するが、スイッチング回数が増加することでインバータ回路の損失が増大するという課題がある。
【０００４】
本発明は、上記従来技術の課題を解決するもので、騒音低下と回路損失低減を時間により選択できるモータのインバータ制御装置および空気調和機を提供することを目的とする。
【課題を解決するための手段】
【０００５】
前記従来の課題を解決するために、本発明のモータのインバータ制御装置および空気調和機は、時間によって任意のキャリア周波数指令を選択できるキャリア周波数選択手段を設けたものである。
【発明の効果】
【０００６】
本発明により、例えば環境騒音の少ない夜間の睡眠中にモータのインバータ制御装置および空気調和機からの騒音を不快に感じることなく、かつ環境騒音の多い昼間の覚醒中には装置の損失を低減できるモータのインバータ制御装置および空気調和機を提供することができる。
【発明を実施するための最良の形態】
【０００７】
第１の発明は、交流電力を直流電力へ変換する整流回路と、直流電力を交流電力へ変換してモータへ供給するインバータ回路と、時間によって任意のキャリア周波数指令を選択できるキャリア周波数選択手段と、指定されたキャリア周波数でインバータ回路を制御するＰＷＭ制御手段とを備えたもので、キャリア周波数選択手段が設定された時間−キャリア周波数情報に基づいて、昼間の場合はキャリア周波数を低く設定することで、モータのインバータ制御装置の損失を低減し、かつ夜間の場合に騒音を低下するモータのインバータ制御装置を提供することができる。
【０００８】
第２の発明は、モータにより冷媒を圧縮する圧縮機と、請求項１のモータのインバータ制御装置を備え、空気調和機の騒音が目立たない範囲で損失を低減する空気調和機を提供することができる。
【０００９】
（実施の形態１）
図１は、本発明の第１の実施の形態を説明する図である。
【００１０】
図１において、整流回路２は交流電力を直流電力へ変換し、インバータ回路４は直流電力を交流電力へ変換してモータ５へ供給する。モータ制御回路６はキャリア周波数選択手
段８とＰＷＭ制御手段７から構成され、キャリア周波数選択手段８はあらかじめ設定された時間−キャリア周波数情報に基づいて、昼間の場合はキャリア周波数を低く、夜間の場合は高く設定し、ＰＷＭ制御手段７は決定されたキャリア周波数でインバータ回路４を制御する。
【産業上の利用可能性】
【００１１】
以上のように、本発明のモータのインバータ制御装置および空気調和機は、時間−キャリア周波数情報をもちいてキャリア周波数を決定することにより、必要以上に損失を増やすことのないモータの運転が可能となり、モータのインバータ制御装置を含む種々の機器に適用できる。
【図面の簡単な説明】
【００１２】
【図１】本発明実施の形態１におけるモータのインバータ制御装置の構成図
【符号の説明】
【００１３】
１  交流電源
２  整流回路
３  平滑コンデンサ
４  インバータ回路
５  モータ
６  モータ制御回路
７  ＰＷＭ制御手段
８  キャリア周波数選択手段
【図１】
2010226910.tif 000003
(57)【要約】【課題】  蛇腹管の外側を短時間で簡単に掃除できる蛇腹管掃除器具を提供する。【解決手段】  中が空洞の円筒形構造物に、円筒方向に沿って平行に切り込みを入れ開口部を設けた外枠の内壁にブラシを固定した構造により蛇腹管の外側を短時間で簡単に掃除できる機能を持たせることを特徴とする蛇腹管掃除器具。【選択図】図１
2010075907.tif 000002
【特許請求の範囲】
【請求項１】
中が空洞の円筒形構造物に、円筒方向に沿って平行に切り込みを入れ開口部を設けた外枠の内壁にブラシを固定した構造からなる蛇腹管掃除器具。
【請求項２】
請求項１の蛇腹管掃除器具を、円筒の中心を軸として、任意の角度で押し広げた構造からなる蛇腹管掃除器具。
【発明の詳細な説明】
【技術分野】
【０００１】  本発明は、中が空洞の円筒形構造物に、円筒方向に沿って平行に切り込みを入れ開口部を設けた外枠の内壁にブラシを固定することにより蛇腹管の外側の掃除を容易に行うことができるように工夫した蛇腹管掃除器具に関するものである。
【背景技術】
【０００２】  従来、蛇腹管の外側が汚れた場合、布やブラシ等で汚れを落とすのが一般的であるが、蛇腹管が円筒形の為、窪んだ溝の汚れた部分を掃除するのは非常に手間がかかり面倒であった。これを簡単に掃除する器具は見当たらない。
【発明の開示】
【発明が解決しようとする課題】
【０００３】  蛇腹管の外側の窪んだ溝の汚れをブラシ等で落とす場合、蛇腹管が円筒形の為、ブラシ等で蛇腹管の回りを一周して、その汚れを取り除く必要がある。その場合、蛇腹管が細いのでこの作業は非常にやり難い面があり、多くの時間を費やす。また、布等で蛇腹管を取り巻き、蛇腹管に沿ってしごいて掃除しようとしても、溝の部分は窪んでいるため、溝の部分に付着した汚れは落とすことが出来ない。
本発明は以上の問題点を解決しようとするものである。
【課題を解決するための手段】
【０００４】  この課題を解決するための本発明の蛇腹管掃除器具は、中が空洞の円筒形構造物に、円筒方向に沿って平行に切り込みを入れ開口部を設けた外枠の内壁にブラシを固定した構造からなり、この開口部から蛇腹管を中心部分に取り込み、蛇腹管に沿ってしごくことにより、蛇腹管の外側の窪んだ溝の汚れを短時間で簡単に取り除くことができるようにした。
以上を特徴とする蛇腹管掃除器具である。
【発明の効果】
【０００５】  本発明により、蛇腹管の外側の掃除を短時間で簡単に行うことが可能となる。
【発明を実施する為の最良の形態】
【０００６】  本発明の蛇腹管掃除器具は、中が空洞の円筒形構造物に、円筒方向に沿って平行に切り込みを入れ開口部を設けた外枠（１）と、外枠（１）の内壁に固定されたブラシ（２）とからなっている。
本発明を使用するときは、蛇腹管（４）を開口部（３）より中心に取り込み、手でこの蛇腹管掃除器具を蛇腹管（４）に沿ってしごく。この作業により蛇腹管（４）の外側の窪んだ溝に付着した汚れを短時間に簡単に取り除くことができる。外枠（１）は、手で握った場合にある程度変形し、力を取り除いた場合に復元する程度の柔軟性を有するプラスチック等の素材で造ることが望ましい。ブラシ（２）は、蛇腹管（４）の掃除に寄与する為、同様にプラスチック等の柔軟性を有する素材で造ることが望ましい。
図２は、図１で示される蛇腹管掃除器具を、円筒の中心を軸として任意の角度で押し広げた構造からなる蛇腹管掃除器具である。外枠（１）が十分な柔軟性を有する場合は、図２で示される蛇腹管掃除器具を手で握り締めることにより、円筒形となる為、その中心に蛇腹管（４）を取り込み、手でしごくことにより蛇腹管（４）の外側の窪んだ溝に付着した汚れを短時間に簡単に取り除くことができる。図２の蛇腹管掃除器具は、蛇腹管（４）を掃除した後、蛇腹管掃除器具自体に付着した汚れを落とすのがた易い特徴がある。
【図面の簡単な説明】
【０００７】
【図１】  本発明の斜視図
【図２】  本発明を開いた状態の斜視図
【図３】  本発明の使用状態を示す斜視図
【符号の説明】
【０００８】  （１）    外枠
（２）    ブラシ
（３）    開口部
（４）    蛇腹管
【図１】
2010075907.tif 000003
【図２】
2010075907.tif 000004
【図３】
2010075907.tif 000005
(57)【要約】      （修正有）【課題】椅子に座るだけで、もしくは椅子に座って上下運動をするだけで、足腰の筋肉の強化、カロリー消費運動を提供すること。【解決手段】椅子脚２に、椅子本体が上下する方向に作用するように、バネ、又は、アクチェーターのいずれかの弾性部材３を設け、または、椅子の足と脚の接続部分を固定しないことにより、垂直方向のみならず、様々な方向への負荷を得ることで、体重に対する反作用力を利用し、椅子に座るだけで、もしくは椅子に座ったまま上下運動をするだけで、カロリー消費と筋力強化を得る。【選択図】図１
2010075447.tif 000002
【特許請求の範囲】
【請求項１】
椅子脚に、椅子シート部分が上下する方向に作用するように弾性部材を設けたことを特徴とする椅子。
【請求項２】
弾性部材はバネ又は、アクチェーターのいずれかを用いたことを特徴とする請求項1記載の椅子。
【発明の詳細な説明】
【技術分野】
【０００１】
この発明は、事務用椅子、座椅子、勉強用椅子、ダイニング用椅子、ソファー、トレーニング用椅子に用いる椅子の脚の部分の構造に関する。
【背景技術】
【０００２】
従来の椅子は、上下方向への高さの調整は可能であったが、脚部分に垂直方向へ弾性部材の力を利用し、筋力強化、美容のために製作されたものはなかった。椅子脚部分（座椅子には新たに脚部分を設置）に、弾性部材を装着する。図1に示すように、椅子脚1部分内部にバネを装着する。
【発明の開示】
【発明が解決しようとする課題】
【０００３】
しかしながら、以上の技術によれば、椅子（座椅子）に座るだけで、筋肉をトレーニングすることができる。主に、腸腰筋群、大腿二頭筋、内転筋群を鍛えることにより、下腹部の引き締め、また全身運動によるカロリー消費によるダイエット効果を得ることができる。
そこで、この発明は、椅子に座るだけで、もしくは椅子に座って上下運動をするだけで、足腰の筋肉の強化、カロリー消費運動を提供することを課題とする。
【課題を解決するための手段】
【０００４】
本発明は請求項1として、椅子脚に、椅子本体が上下する方向に作用するように弾性部材を設けたことを特徴とする椅子、請求項２として、弾性部材はバネ又は、アクチェーターのいずれかを用いたことを特徴とする請求項1記載の椅子。
以上の課題を解決するために、第一発明は、バネ力を主とする垂直方向への反作用力を持った椅子脚を設けたことを特徴とする椅子である。
また、第二発明は、反作用力を第一発明より大きくすることにより、筋力強化を主にした、筋力強化用椅子である。
また、第三発明は、椅子の足と脚の接続部分を固定しないことにより、垂直方向のみならず、様々な方向への負荷を得ることができ、より多くの筋力強化、カロリー消費を得るものである。
バネはコイルバネ、皿バネ、ツルマキバネ、板バネ、S字バネ、アクチェーターは、空気圧、油圧、ガス圧、その他の素材の反発力を利用したものである。
【発明の効果】
【０００５】
第一発明、または第二発明、第三発明によれば、椅子に座るだけで、もしくは椅子に座ったまま上下運動をするだけで、カロリー消費と筋力強化を得ることができる。
【発明を実施するための最良の形態】
【０００６】
この発明の一実施形態を、図1に示す。
椅子脚はアルミ、またはスチール、またはプラスチック、または木製であり、椅子脚内部にバネなどの弾性部材を設置する。
【０００７】
実施形態の効果としては、この実施形態によれば、椅子脚内部バネなどの力により、椅子（座椅子）に座るだけで、筋肉をトレーニングすることができる。主に、腸腰筋群、大腿二頭筋、内転筋群を鍛えることにより、下腹部の引き締め、また全身運動によるカロリー消費を得ることができる。
【０００８】
他の実施形態として、図1の実施形態では、上下方向の運動のみ可能であったが、斜め上方への運動の可能となり、より多くの筋肉群を鍛えることができる。（図２）
図1の実施形態では、椅子のみの記述であったが、図３のように、座椅子にも取付けることが可能である。
図1の実施形態では、バネの力を利用するのみであったが、図４、図５のように、ガス圧の力、油圧の力、空気の力なども利用することができる。
図1の実施形態では、単脚の椅子であったが、図６、図７のように、複数脚の椅子にも装着可能である。
【図面の簡単な説明】
【０００９】
【図１】この発明の一実施形態を示す斜視図である。
【図２】この発明の一実施形態を示す斜視図である。
【図３】この発明の一実施形態を示す斜視図である。
【図４】この発明の一実施形態を示す斜視図である。
【図５】この発明の一実施形態を示す斜視図である。
【図６】この発明の一実施形態を示す斜視図である。
【図７】この発明の一実施形態を示す斜視図である。
【符号の説明】
【００１０】
１  椅子シート部分
２  椅子脚
３  弾性部材
４  椅子足
【図１】
2010075447.tif 000003
【図２】
2010075447.tif 000004
【図３】
2010075447.tif 000005
【図４】
2010075447.tif 000006
【図５】
2010075447.tif 000007
【図６】
2010075447.tif 000008
【図７】
2010075447.tif 000009
(57)【要約】【課題】稲ワラの収集は、カット稲ワラにすると従来の収集機では収集できず、コンバインで結束すると運び出すのに重労働で、人手が掛かっていた。また長ワラは堆肥化が難しかった。そして、長ワラの堆肥を使用すると絡まり散布が難しく、また土壌を耕す時、農機具に絡まりやすかった。【解決手段】コンバインでカットされた稲ワラを収集できる吸引方式の機械である。【選択図】図１
2010075170.tif 000002
【特許請求の範囲】
【請求項１】
稲ワラ収集に吸引方式を設けたことを特徴とする農機具。
【発明の詳細な説明】
【技術分野】
【０００１】  この発明は、コンバインで細かくカットされた稲ワラに関する。
【背景技術】
【０００２】  従来の稲ワラ収集機は、写真２のようにある程度長さの稲ワラを地面から跳ね上げて一つにまとめる機械である。
【発明の開示】
【発明が解決しようとする課題】
【０００３】しかしながら、以上の技術によれば、コンバインで短くカットした稲ワラは収集できず、稲刈り後、土壌が乾きにくい。また結束したワラを運び出すのは重労働であった。
そこで、この発明は、稲刈り後、早々に稲ワラを収集することにより、土壌の乾きも良くなり、野菜作りに適した水分量の土壌を作ることができる。また収集したカット稲ワラを山積みにすることで堆肥への変化を促がすことができ、土壌に還元する時、カットしているので散布が手軽で、作業の効率化を提供することを課題とする。
【課題を解決するための手段】
【０００４】  以上の課題を解決するために、発明は吸引方式を用いたことを特徴とする農機具である。
【発明の効果】
【０００５】  発明によれば、吸引方式にすることによりカット稲ワラの収集が手軽になる。
【発明を実施するための最良の形態】
【０００６】  この発明の一実施形態を、図１に示す。
収集機の本体Ａは送風機であり、稼働に必要な発電機Ｂを搭載し、前方に吸引口Ｃ、後方のカゴＥの中に排出口Ｄを差し込む。台車駆動源は、中古コンバインを使用し、前進しながら、前方のカット稲ワラを吸引し、後方のカゴに溜め込む。【０００７】「実施形態の効果」
この実施形態によれば、吸引方式を使用することにより、カット稲ワラの収集が可能になり、堆肥化から地力増進のための還元作業が手軽になる。
【図面の簡単な説明】
【０００８】
【図１】この発明の一実施形態を示す斜視図である。
【写真１】
この発明の一実施形態を示す写真である。
【写真２】
従来技術を示す写真である。
【符号の説明】
【０００９】Ａ  送風機                Ｂ  発電機
Ｃ  吸引口                Ｄ  排出口
Ｅ  カゴ                  Ｆ  台車（中古コンバイン）
【図１】
2010075170.tif 000003